(57)【特許請求の範囲】
【請求項１】
地上側の物品搬送箇所と運搬車両における荷台の存在予定箇所との間に、作業者により物品を搬送する作業者存在用床部が設けられた荷役作業用設備であって、
前記作業者存在用床部に、前記物品搬送箇所と前記荷台の存在予定箇所との間で物品を滑動自在に載置支持する滑動式の物品載置支持体が配置され、
前記物品載置支持体が、左右一対の支持体部分をそれらの間に作業者存在用の床部分を位置させる状態で間隔を隔てて並べて構成され、
前記物品載置支持体における左右一対の支持体部分が、前記作業者存在用床部における床面よりも上方に突出する状態で前記作業者存在用床部に設置される金属製の帯板状材にて構成されて、前記作業者存在用床部の床面に貼付されている荷役作業用設備。
【請求項２】
前記地上側の物品搬送箇所に、物品を搬入又は搬出する載置搬送式のコンベヤの搬送方向端部が配設されている請求項１記載の荷役作業用設備。
【発明の詳細な説明】
【技術分野】
【０００１】
本発明は、地上側の物品搬送箇所と運搬車両における荷台の存在予定箇所との間に、作業者により物品を搬送する作業者存在用床部が設けられた荷役作業用設備に関する。
【背景技術】
【０００２】
かかる荷役作業用設備は、地上側の物品搬送箇所と運搬車両における荷台の存在予定箇所との間に作業者存在用床部を設け、この作業用存在床部においては物品を作業者により搬送するように構成されているものである。
そして、このような荷役作業用設備において、従来では、物品に転動可能な輪体を複数備え、作業者存在用床部に、物品搬送箇所と荷台の存在予定箇所との間で物品を転動自在に載置支持するガイドレールを配置しており、ガイドレール上を物品に備えた輪体を転動させることにより、作業者存在用床部の物品を作業者の押引操作によって搬送することができるように構成されていた（例えば、特許文献１参照。）。
【０００３】
【特許文献１】特開２００２−１９３４５４号公報
【発明の開示】
【発明が解決しようとする課題】
【０００４】
しかし、上記した荷役作業用設備では、搬送する物品の夫々に複数の輪体を回転自在に備え、作業者存在用床部にガイドレールを配置するものであり、複数の輪体を搬送する物品の夫々に取り付けるとともにガイドレールを作業者存在用床部に配置する必要があるので、荷役作業用設備の構成が複雑なものとなっていた。
ちなみに、作業者存在用床部に、回転自在なローラ等の転動式の物品載置支持体を搬送方向に複数並設して、その転動式の物品載置支持体の転動により、作業者存在用床部の物品を作業者の押引操作によって搬送することができるように構成した場合では、複数の転動式の物品載置支持体を作業者存在用床部に回転自在に設置する必要があるので、この場合においても、荷役作業用設備の構成が複雑なものとなる。
【０００５】
本発明は、上記実状に鑑みて為されたものであって、その目的は、構成の簡素化を図ることができる荷役作業用設備を提供する点にある。
【課題を解決するための手段】
【０００６】
この目的を達成するために、本発明にかかる荷役作業用設備の第１特徴構成は、地上側の物品搬送箇所と運搬車両における荷台の存在予定箇所との間に、作業者により物品を搬送する作業者存在用床部が設けられた荷役作業用設備において、
前記作業者存在用床部に、前記物品搬送箇所と前記荷台の存在予定箇所との間で物品を滑動自在に載置支持する滑動式の物品載置支持体が配置され、前記物品載置支持体が、左右一対の支持体部分をそれらの間に作業者存在用の床部分を位置させる状態で間隔を隔てて並べて構成され、前記物品載置支持体における左右一対の支持体部分が、前記作業者存在用床部における床面よりも上方に突出する状態で前記作業者存在用床部に設置される金属製の帯板状材にて構成されて、前記作業者存在用床部の床面に貼付されている点にある。
【０００７】
すなわち、作業者存在用床部に物品を滑動自在に載置支持する滑動式の物品載置支持体を配置し、その滑動式の物品載置支持体上の物品を滑動させることによって、作業者存在用床部の物品を作業者の押引操作によって搬送することができるものであり、滑動式の物品載置支持体を作業者存在用床部に配置するだけで作業者存在用床部の物品を作業者の押引操作によって搬送することができるものとなるので、荷役作業用設備の構成の簡素化を図ることができるものであり、もって、構成の簡素化を図ることができる荷役作業用設備を提供することができるに至った。
【０００９】
また、左右一対の支持体部分に載置支持された物品を、作業者は左右一対の支持体部分の間に位置する作業者存在用の床部分に位置した状態で押引操作することができるので、左右一対の支持体部分の横側方から物品を押引操作する場合に比べて、物品を滑動式の物品載置支持体上を安定よく滑動させることができ、もって、物品を滑動式の物品載置支持体上を安定よく滑動させることができる荷役作業用設備を提供することができるに至った。
【００１１】
また、滑動式の物品載置支持体の作業者存在用床部への配置は、金属製の帯板状材を作業者存在用床部における床面よりも上方に突出する状態で作業者存在用床部に設置するだけでよいので、滑動式の物品載置用支持体を作業者存在用床部に容易に配置することができ、もって、滑動式の物品載置支持体を容易に配置することができる荷役作業用設備を提供することができるに至った。
【００１２】
本発明にかかる荷役作業用設備の第２特徴構成は、第１特徴構成において、前記地上側の物品搬送箇所に、物品を搬入又は搬出する載置搬送式のコンベヤの搬送方向端部が配設されている点にある。
【００１３】
すなわち、地上側の物品搬送箇所に載置搬送式のコンベヤの搬送方向端部が配置されているので、このコンベヤを用いて、運搬車両に積み込む物品を搬送したり、運搬車両から降ろした物品を搬送しながら、物品の積み込み作業や積み降ろし作業を能率良く行うことができ、もって、物品の積み込み作業や積み降ろし作業を能率良く行うことができる荷役作業用設備を提供することができるに至った。
【発明を実施するための最良の形態】
【００１４】
以下、本発明の実施の形態を図面に基づいて説明する。
図１に示すように、物品処理設備には、物品ｗを保管する自動倉庫１、運搬車両１１に物品ｗを積み込み並びに積み降ろし作業を行う荷役作業用設備２、及び、自動倉庫１と荷役作業用設備２との間で物品ｗを搬送する搬送台車３が設けられている。
ちなみに、物品ｗは、パレットとそのパレットに載置支持されるストレッチ梱包された搬送物とで構成されており、パレットは、滑動し易いように樹脂材にて構成されている。
【００１５】
自動倉庫１には、物品ｗを収納する複数の収納部を備えた収納棚５と、この収納棚５の横側方に位置して物品ｗを搬出入させる搬出入装置６と、収納棚５と搬出入装置６との間で物品ｗを搬送するスタッカークレーン７とが設けられている。
そして、収納棚５は、物品出し入れ方向が互いに対向するように間隔を隔てて設置した一対が棚前後方向に複数組設けられており、スタッカークレーン７は、その対向する収納棚５の間を棚横幅方向に沿って自動走行するように構成されている。また、搬出入装置６は、詳しい説明は省略するが、物品ｗを載置搬送する倉庫用コンベヤと、その倉庫用コンベヤにおける収納棚側端部に設けられた昇降台とで構成されている。
搬送台車３は、ループ状のガイドレール８に案内されて走行経路に沿って床面上を走行して、自動倉庫１の搬入出装置６と荷役作業用設備２の載置搬送式のコンベヤ１３との間で物品ｗを搬送するように構成されている。
【００１６】
図２及び図３に示すように、荷役作業用設備２は、物品を搬入又は搬出する前記載置搬送式のコンベヤ１３の搬送方向端部が配設されている地上側の物品搬送箇所Ａと運搬車両１１における荷台１１ａの存在予定箇所Ｃとの間に、作業者により物品ｗを搬送する作業者存在用床部Ｂが設けられ、前記作業者存在用床部Ｂに、前記物品搬送箇所Ａと前記荷台１１ａの存在予定箇所Ｃとの間で物品ｗを滑動自在に載置支持する滑動式の物品載置支持体１２が配置されている。
そして、荷役作業用設備２には、運搬車両１１における荷台の存在予定箇所Ｃが複数備えられており、その荷台の存在予定箇所Ｃに対応して、作業者存在用床部Ｂ、並びに、載置搬送式のコンベヤ１３が複数設けられている。
【００１７】
図１に示すように、前記載置搬送式のコンベヤ１３は、その搬送方向一端部が搬送台車３の走行経路の近傍に配設され、搬送方向他端部が物品搬送箇所Ａに配設されている。そして、図２に示すように、物品搬送式のコンベヤ１３における搬送方向他端部が配設される物品搬送箇所Ａの床面は、作業者存在用床部Ｂの床面より低く設定されており、載置支持式のコンベヤ１３における搬送方向他端部の搬送面の高さが作業者存在用床部Ｂに配置された物品載置支持体１２の上面の高さと同じ又は略同じ高さとなるように設定されている。
【００１８】
図１及び図３に示すように、載置支持式のコンベヤ１３は、左右一対の搬送チェーン１６が回動自在に備えられており、一対の搬送チェーン５の搬送作用により物品ｗを載置搬送するチェーン式に構成されている。そして、載置支持式のコンベヤ１３における左右一対の搬送チェーン１６は、それらの間に作業者存在用の作業台１７を設置可能な状態で間隔を隔てて並べられている。
そして、前記作業台１７は、物品搬送箇所Ａに設置されており、上記したように載置支持式のコンベヤ１３における左右一対の搬送チェーン１６の間に設置されるとともに、左右方向に並設された載置支持式のコンベヤ１３同士の間に設置されている。作業台１７の高さは、その上面が、載置支持式のコンベヤ１３の搬送面より低く且つ作業者存在用床部Ｂの床面と同じ又は略同じ高さに設定されている。つまり、物品搬送箇所Ａに、作業者存在用床部Ｂの床面と同じ又は略同じ高さの作業台１７を設置することにより、作業者存在用床部Ｂの物品搬送箇所Ａ側の端部に載置された物品ｗを、物品搬送箇所Ａ側からの作用者による押引操作により搬送することができるように構成されている。
【００１９】
図３及び図４に示すように、前記運搬車両１１が走行可能な走行面１４に車輪止め１５が設置されており、この車輪止め１５は、運搬車両１１の後輪を当て付けた状態で運搬車両１１を停止させることにより、その運搬車両１１の荷台１１ａが存在予定箇所Ｃに位置するように設置されている。
そして、走行面１４は、運搬車両１１における荷台１１ａの載置面の高さが、作業者存在用床部Ｂに配置した物品載置支持体１２の上面の高さと同じ又は略同じ高さとなるよう、作業者存在用床部Ｂの床面より低く設定されている。
【００２０】
図４に示すように、前記物品載置支持体１２は、左右一対の支持体部分１２ａをそれらの間に作業者存在用の床部分ｂを位置させる状態で間隔を隔てて並べて構成されており、その前記物品載置支持体１２における左右一対の支持体部分１２ａは、前記作業者存在用床部Ｂにおける床面よりも上方に突出する状態で前記作業者存在用床部Ｂに設置されるステンレス製の帯板状材にて構成されている。
【００２１】
物品載置支持体１２について説明を加えると、物品載置支持体１２における左右一対の支持体部分１２ａは、その左右一対の支持体部分１２ａにて物品ｗの横幅方向の両端部を載置支持すべく横幅方向に間隔を隔てた状態で作業者存在用床部Ｂの床面に貼付されており、作業者存在用床部Ｂにおける左右一対の支持体部分１２ａの間に位置する部分が作業者存在用の床部分ｂに設定されている。
そして、支持体部分１２ａの横幅は作業者が跨げる程度の横幅に形成されており、作業者が支持体部分１２ａを跨いで作業者存在用の床部分ｂに進入できるように構成されている。また、左右一対の支持体部分１２ａは、地上側の物品搬送箇所Ａの近傍から荷台１１ａの存在予定箇所Ｃの近傍までの作業者存在用床部Ｂの全長に亘って直線状に設置されており、その左右一対の支持体部分１２ａの上面を平坦面に形成して、物品ｗの平坦な下面を面接触により載置支持するように構成されている。
ちなみに、作業者存在用床部Ｂはコンクリート製であり、作業者が滑り難く構成されている。
【００２３】
〔別実施の形態〕
（１）  上記実施の形態では、支持体部分１２ａを作業者存在用床部Ｂの平坦な上面に貼付したが、作業者存在用床部Ｂに凹部を形成し、その凹部に支持体部分１２ａを嵌合させる形態で、支持体部分１２ａが作業者存在用床部Ｂにおける床面よりも上方に突出する状態で作業者存在用床部Ｂに埋設するようにしてもよい。
【００２４】
（２）  上記実施の形態では、支持体部分１２ａをステンレス製の帯板状材にて構成したが、支持体部分１２ａを鉄製やアルミ製等の他の金属製の帯板状材にて構成してもよい。
【００２５】
（３）  上記実施の形態では、支持体部分１２ａを上面が平坦な帯板状材にて構成して、支持体部分１２ａの平坦な上面にて物品ｗの下面との面接触により物品ｗを載置支持するように構成したが、支持体部分の上部に凹凸を形成して線接触又は点接触にて物品を載置支持するように構成してもよい。
【００２６】
（４）  上記実施の形態では、地上側の物品搬送箇所Ａに、載置搬送式のコンベヤ１３の搬送方向端部を設置したが、例えば、フォークリフトで搬送した物品ｗを地上側の物品搬送箇所に載置するようにする、又は、搬送台車３から直接に地上側の物品搬送箇所に降ろす等、地上側の物品搬送箇所Ａへの物品ｗの搬送方法は適宜変更してもよい。
【図面の簡単な説明】
【００２７】
【図１】物品搬送設備の平面図
【図２】荷役作業用設備の側面図
【図３】荷役作業用設備の斜視図
【図４】作業者存在用床部の縦断正面図
【図５】存在予定箇所の縦断正面図
【符号の説明】
【００２８】
１１    運搬車両
１１ａ  荷台
１２    物品載置支持体
１２ａ  支持体部分
１３    載置搬送式のコンベヤ
Ａ    物品搬送箇所
Ｂ    作業者存在用床部
ｂ    作業者存在用の床部分
Ｃ    存在予定箇所
ｗ    物品
【図１】
0004826900.tif 000002
【図２】
0004826900.tif 000003
【図３】
0004826900.tif 000004
【図４】
0004826900.tif 000005
【図５】
0004826900.tif 000006